(57)【要約】書き込み可能なＲＡＭエリア（１０）と追記不可のリードインエリア（１１）とを有する光ディスク１において、リードインエリア（１１）のトラックピッチとＲＡＭエリア（１０）のトラックピッチを実質的に同じとし、リードインエリア（１１）において、トラッキング誤差信号の極性が互いに異なるＡトラック（２Ａ）およびＢトラック（２Ｂ）のうち、Ａトラック（２Ａ）のみにリードインデータ（３）が書き込まれた構成とすることにより、リードインエリア（１１）のクロストークを大幅に改善し、ＲＡＭエリア（１０）とリードインエリア（１１）のトラッキング制御仕様を共通にする。
2002027717.tif 000002
【特許請求の範囲】
【請求項１】
追記不可のＲＯＭエリアと書き込み可能なＲＡＭエリアを有する光ディスクであって、
ＲＯＭエリアのトラックピッチとＲＡＭエリアのトラックピッチが実質的に同一で、
ＲＯＭエリアのデータが１トラックおきに書き込まれていることを特徴とする光ディスク。
【請求項２】
ディスク上のトラックは、トラッキング誤差信号の極性の異なるＡトラックおよびＢトラックが、所定の半径位置を繋ぎ目として交互につなぎ合わされている請求項１に記載の光ディスク。
【請求項３】
ＲＯＭエリアのトラック上に、半径方向において隣接するトラックへジャンプするためのジャンプエリアがさらに設けられている請求項１に記載の光ディスク。
【請求項４】
前記ジャンプエリアではＡトラックおよびＢトラックのいずれにも有為なデータは書き込まれていない請求項３に記載の光ディスク。
【請求項５】
ＲＯＭエリアのトラックが２重螺旋で構成されている請求項１に記載の光ディスク。
【請求項６】
ＲＡＭエリアのトラックも２重螺旋で構成されている請求項５に記載の光ディスク。
【発明の詳細な説明】
技術分野
本発明は、レーザ光を利用してデータの再生および記録を行う光ディスクに関するものである。
背景技術
近年、光ディスクが、大容量データファイルや、音楽または映像の蓄積メディアとして実用化されるに至っているが、更に多くの用途を目指して大容量化が進められている。
従来、大容量化を目指した光ディスクの構成は、例えばＤＶＤ−ＲＡＭ規格（ｅｃｍａ−２７２）に規定されている。ＤＶＤ−ＲＡＭ規格では、追記不可のＲＯＭ（ｒｅａｄ　ｏｎｌｙ　ｍｅｍｏｒｙ）エリアであるリードインエリアと、書き込み可能なＲＡＭ（ｒａｎｄｏｍ−ａｃｃｅｓｓ　ｍｅｍｏｒｙ）エリアのトラックピッチは、共に０．７４μｍであり、ＤＶＤ−ＲＯＭ規格（ｅｃｍａ−２６７）と同じである。リードインエリアでは、全てのトラックにデータが記録されている。
このように、ＲＯＭエリアとＲＡＭエリアのトラックピッチを同じに設定することにより、トラッキング制御における制御仕様を同じにすることができる。
一方、このように、ＲＯＭエリアのトラックピッチとＲＡＭエリアのトラックピッチが同じで、全てのトラックにデータが記録されている構成においては、以下のような問題が生じる。
例えば、記録膜材料の改良や記録方式の改善によりＲＡＭエリアの記録密度が高密度化され、狭トラック化が可能になった場合にも、ＲＯＭエリアの読み取り可能なトラックピッチに制限されて、ＲＡＭエリアのトラックピッチを狭くすることができなくなるという問題を生じる。
また、ＲＡＭエリアのみの記録密度を上げるためにＲＡＭエリアのトラックピッチのみを狭くすると、ＲＡＭエリアとＲＯＭエリアでトラックピッチの差が発生し、トラッキング制御仕様を一本化できないという問題を生じる。
本発明は、上記の問題を解決し、ＲＡＭエリアの記録密度が高密度化され狭トラック化された場合でも、ＲＯＭエリアとＲＡＭエリアのトラックピッチを同じに保ち、両エリアのトラッキング制御仕様を統一することができる光ディスクを提供することを目的とする。
発明の開示
上記の目的を達成するため、本発明の光ディスクは、追記不可のＲＯＭエリアと書き込み可能なＲＡＭエリアを有する光ディスクであって、ＲＯＭエリアのトラックピッチとＲＡＭエリアのトラックピッチが実質的に同一で、ＲＯＭエリアのデータが１トラックおきに書き込まれていることを特徴とする。なお、トラックピッチが実質的に同一とは、ＲＯＭエリアとＲＡＭエリアのトラックピッチが同一であるか、あるいは、ＲＯＭエリアとＲＡＭエリアのトラックピッチに差があったとしてもその差が単一のトラッキング制御仕様の許容範囲内である状態をいう。前記構成により、ＲＡＭエリアの狭トラック化が進んでも、ＲＯＭエリアのデータの実質トラックピッチがＲＡＭエリアのトラックピッチの２倍となり、確実にデータを読み出すことができると同時に、ＲＯＭエリアとＲＡＭエリアでトラッキング制御仕様を共通にすることができる。
発明を実施するための最良の形態
本発明の好ましい形態においては、追記不可のＲＯＭエリアと書き込み可能なＲＡＭエリアを有する光ディスクであって、ＲＯＭエリアのトラックピッチとＲＡＭエリアのトラックピッチが実質的に同じで、ＲＯＭエリアのデータは１トラックおきに書き込まれているとともに、ＲＯＭエリアのトラック上の所定位置に隣接トラックへジャンプするためのジャンプエリアが設けられていてもよい。このようにすると、狭トラック化が進んでもＲＯＭエリアのデータを確実に読み出すことができると同時に、トラッキング制御仕様はＲＯＭエリアとＲＡＭエリアで共通にすることができる。さらに、所定の位置でジャンプ動作を繰り返すことによりＲＯＭエリアの無記録トラックをトレースする無駄を省くことができる。
また、本発明の別の好ましい形態においては、追記不可のＲＯＭエリアと書き込み可能なＲＡＭエリアを有する光ディスクであって、ＲＯＭエリアのトラックピッチとＲＡＭエリアのトラックピッチが実質的に同じで、ＲＯＭエリアのデータは１トラックおきに書き込まれているとともに、ＲＯＭエリアのトラックが２重螺旋で構成されていてもよい。このようにすることにより、狭トラック化が進んでもＲＯＭエリアのデータを確実に読み出すことができると同時に、トラッキング制御仕様はＲＯＭエリアとＲＡＭエリアで共通にすることができる。さらに、ＲＯＭエリアが２重螺旋の構成であることによりデータを連続的に読みとることができる。
さらに、本発明の別の好ましい形態においては、追記不可のＲＯＭエリアと書き込み可能なＲＡＭエリアを有する光ディスクであって、ＲＯＭエリアのトラックピッチとＲＡＭエリアのトラックピッチが実質的に同じで、ＲＯＭエリアのデータは１トラックおきに書き込まれているとともに、全てのトラックが２重螺旋で構成されていてもよい。このようにすると、狭トラック化が進んでもＲＯＭエリアのデータを確実に読み出すことができると同時に、トラッキング制御仕様はＲＯＭエリアとＲＡＭエリアで共通にすることができる。さらに、ＲＯＭエリアが２重螺旋の構成であることにより１トラックおきのデータを連続的に読みとることができるとともに、ＲＡＭエリアも２重螺旋の構成であることによりＲＯＭエリアとＲＡＭエリアのつなぎ目のトラックが連続的に構成できエリア間のスムースな移動が可能となる。
以下、本発明の実施の形態を図面を用いてさらに具体的に説明する。
（第１の実施形態）
図１（ａ）および図１（ｂ）に、本発明の光ディスクの第１の実施形態を示す。図１（ａ）において、１はディスクであり、その記録面は半径方向に距離を変えてリードインエリア１１とＲＡＭエリア１０に分割されている。４はディスク１上の半径方向に並んだサーボエリアで、このサーボエリアによってトラッキング誤差信号を検出することが可能であり、その詳細については図２および図３を用いて後に説明する。
図１（ｂ）に示すように、ディスク１上のトラックは、トラッキング誤差信号の極性が互いに異なるＡトラック２ＡおよびＢトラック２Ｂが、ＡＢトラック切り替わり位置５を繋ぎ目として交互につなぎ合わされた螺旋状の構成となっている。このトラック構成およびそのトラックピッチは、リードインエリア１１とＲＡＭエリア１０で共通である。そして、リードインエリア１１において、データ（リードインデータ３）はＡトラック２Ａのみに記録されており、Ｂトラック２Ｂはサーボエリア４があるのみでデータは記録されていない。
なお、リードインエリア１１とＲＡＭエリア１０のトラックピッチは同一であることが好ましいが、リードインエリア１１とＲＡＭエリア１０のトラックピッチに差があったとしても、その差が、単一のトラッキング制御仕様の許容範囲内であればよい。例えば、リードインエリア１１とＲＡＭエリア１０のトラックピッチが、規格されたトラックピッチに対して約５％以内の誤差の範囲であればよい。ただし、この数値はあくまでも一実施例であり、本発明を限定するものではない。例えば、ＲＡＭエリアの記録密度が高密度化され、さらに狭トラック化されたディスクの場合も、リードインエリア１１とＲＡＭエリア１０のトラックピッチを、単一のトラッキング制御仕様の許容範囲内にあるという条件の下で、任意の数値範囲に規定すればよい。
図２はサーボエリア４の構成を示す構成図であり、図３はサーボエリアにおける再生信号の波形である。図２に示すように、ディスク１上の半径方向に沿って形成されたサーボエリア４には、クロックを生成するためのクロックピット４０、トラッキングエラー信号を生成するための第１および第２のウォブルピット４１，４２が形成されている。クロックピット４０は全てのトラックセンター上に配置されているのに対して、第１および第２のウォブルピット４１，４２は、半径方向におけるＡトラック２ＡとＢトラック２Ｂとの境界上に交互に配置されている。ディスク１に照射されたビームが、図２に矢印で示した方向に移動した場合、反射光から検出される信号は、図３に示すような波形となる。クロックピット４０のタイミングから第１および第２のウォブルピット４１，４２のボトム値（ｗ１，ｗ２）を検出し、その差をトラッキング誤差信号とする。ただし、Ａトラック２Ａをトレースしている場合と、Ｂトラック２Ｂをトレースしている場合とは、トラッキング誤差信号（ＴＥ）は互いに逆極性（ＴＥＡとＴＥＢ）となる。
以上のように構成されたディスク１を再生すると、リードインエリア１１ではリードインデータ３の出力が１回転おきとなるが、リードインデータ３が記録されたトラック（Ａトラック２Ａ）に隣接するトラック（Ｂトラック２Ｂ）にデータが記録されていないため、リードインデータ３のトラックピッチが２倍になり、クロストークを大幅に軽減できる。また、ＲＡＭエリア１０とリードインエリア１１でトラッキング誤差信号の作成方法及びトラックピッチが同じであるため、全く同じ構成でトラッキング制御を行うことができる。
つまり、本実施形態によれば、ＲＡＭエリア１０の記録密度が向上し、狭トラック化が大幅に進んだ場合でも、ディスク１上全エリアのトラックピッチを共通とし、トラッキング誤差検出をディスク１上の半径方向に並んだサーボエリア４を用いて行うことにより、ＲＡＭエリア１０とリードインエリア１１のトラッキング制御を全て共通にすることができる。
さらに、リードインエリア１１においてリードインデータ３を１トラックおきに記録する構成としたことにより、リードインエリア１１再生時のクロストークを大幅に軽減することができる。
（第２の実施形態）
図４は本発明の光ディスクの第２の実施形態を示す。図４（ａ）に示すように、本実施形態にかかる光ディスク１は、リードインエリア１２の一部に、再生時にＢトラック２ＢからＡトラック２Ａへジャンプするためのジャンプエリア７を有する。図４（ｂ）に拡大して示すように、ジャンプエリア７は、ＡＢトラック切り替わり位置５の直後に設けられている。このジャンプエリア７では、Ｂトラック２Ｂにはデータが全く記録されておらず、Ａトラック２Ａには読み出す必要があるデータは記録されていない。ジャンプエリア７以外の構成要素は図１に示す第１の実施形態と同じであり、重複する説明を省略する。
以上のように構成された本実施形態のディスク１を再生すると、リードインエリア１２ではデータが記録されているＡトラック２Ａ（例えば２ＡＬ０）が終わりＢトラック２Ｂ（２ＢＬ１）に入ると、ＡＢトラック切り替り位置５の通過を検出しそのタイミングでディスク１の外側に向かってトラック一本分のジャンプ動作を開始し、次のＡトラック２Ａ（２ＡＬ１）へ移動する。前述のように、ジャンプエリア７の区間ではＡトラック２Ａにはリードインデータ３が記録されていないので、ジャンプ動作がこのジャンプエリア７内でおさまるようにジャンプエリア７の長さを適切に設定すれば、ジャンプした後のＡトラック２Ａに記録されているリードインデータ３を先頭から再生することができ、データの読み飛ばしが発生しない。さらに、第１の実施形態と同様に再生データのトラックピッチが２倍になり、クロストークを大幅に軽減できるとともに、ＲＡＭエリア１０とリードインエリア１２でトラッキング誤差信号の作成方法及びトラックピッチが同じであるため全く同じ構成でトラッキング制御を行うことができる。
つまり、本実施形態によれば、ＲＡＭエリア１０の記録密度が向上し、狭トラック化が大幅に進んだ場合でも、ディスク１上全エリアのトラックピッチを共通とし、トラッキング誤差検出をディスク１上の半径方向に並んだサーボエリア４を用いて行うことにより、ＲＡＭエリア１０とリードインエリア１２のトラッキング制御を全て共通にすることができる。
さらに、リードインエリア１２のリードインデータ３を１トラックおきに記録する構成としたことにより、リードインエリア１２再生時のクロストークを大幅に軽減することができる。
その上、リードインエリア１２にジャンプエリア７を設けることによりリードインデータ３が記録されたＡトラック２Ａを読み飛ばしのないように効率よく読みとることができる。
（第３の実施形態）
本発明にかかる光ディスクの第３の実施形態を説明する。本実施形態にかかるディスク１は、図５（ａ）および図５（ｂ）に示すように、ＲＡＭエリア１０のトラック構成は図１に示す第１の実施形態と同じであるが、リードインエリア１３は、ＡＢトラック切り替わり位置５がなく、リードインデータ３が記録されたＡトラック６Ａとデータが記録されていないＢトラック６Ｂがそれぞれ連続的につながった２重螺旋の構成となっている。リードインエリア１３のトラック構成以外の構成要素は図１に示す第１の実施形態と同じであり、重複する説明を省略する。
以上のように構成された本実施形態のディスク１を再生すると、リードインエリア１３ではデータが記録されているＡトラック６Ａにトラッキングしていれば連続的にデータを読み込むことが可能となり、無記録部での待ち状態や隣接トラックへのジャンプ動作が発生することなく安定して高速にデータの読み込みができる。さらに、第１の実施形態と同様に再生データのトラックピッチが２倍になりクロストークを大幅に軽減できるとともに、ＲＡＭエリア１０とリードインエリア１３でトラッキング誤差信号の作成方法及びトラックピッチが同じであるため、全く同じ構成でトラッキング制御を行うことができる。
つまり、本実施形態によれば、ＲＡＭエリア１０の記録密度が向上し、狭トラック化が大幅に進んだ場合でも、ディスク１上全エリアのトラックピッチを共通とし、トラッキング誤差検出をディスク１上の半径方向に並んだサーボエリア４を用いて行うことにより、ＲＡＭエリア１０とリードインエリア１３のトラッキング制御を全て共通にすることができる。
さらに、リードインエリア１３のリードインデータ３を１トラックおきに記録する構成としたことにより、リードインエリア１３再生時のクロストークを大幅に軽減することができる。
その上、リードインエリア１３のトラック構成をＡトラックおよびＢトラックの２重螺旋とすることにより、データを連続的に読み込むことができる。
（第４の実施形態）
本発明にかかる光ディスクの第４の実施形態を説明する。図６（ａ）および図６（ｂ）において、リードインエリア１３のトラック構成は図５（ａ）および図５（ｂ）に示す第３の実施形態と同じであり、ＲＡＭエリア１４は、リードインエリア１３と同様にＡＢトラック切り替わり位置５がなく、トラッキング誤差信号の極性が互いに異なるＡトラック６ＡとＢトラック６Ｂがそれぞれ連続的につながった２重螺旋の構成となっている。ＲＡＭエリア１４のトラック構成以外の構成要素は図５（ａ）および図５（ｂ）に示した第３の実施形態と同じであり、重複する説明を省略する。
以上のように構成された本実施形態のディスク１を再生すると、リードインエリア１３では第３の実施形態と同様にデータが記録されているＡトラック６Ａにトラッキングしていれば連続的にデータを読み込むことが可能となり、無記録部での待ち状態や隣接トラックへのジャンプ動作が発生することなく安定して高速にデータの読み込みができる。また、ＲＡＭエリア１４のトラック６Ａ，６Ｂも２重螺旋の構成をとっていることにより、リードインエリア１３とＲＡＭエリア１４のつなぎ目のトラック構成が連続となりエリア間のスムースな移動が可能となる。さらに、第１の実施形態と同様に再生データのトラックピッチが２倍になりクロストークを大幅に軽減できるとともに、ＲＡＭエリア１４とリードインエリア１３でトラッキング誤差信号の作成方法及びトラックピッチが同じであるため、全く同じ構成でトラッキング制御を行うことができる。
つまり、本実施形態によれば、ＲＡＭエリア１４の記録密度が向上し、狭トラック化が大幅に進んだ場合でも、ディスク１上全エリアのトラックピッチを共通とし、トラッキング誤差検出をディスク１上の半径方向に並んだサーボエリア４を用いて行うことにより、ＲＡＭエリア１４とリードインエリア１３のトラッキング制御を全て共通にすることができる。
さらに、リードインエリア１３のリードインデータ３を１トラックおきに記録する構成としたことにより、リードインエリア１３再生時のクロストークを大幅に軽減することができる。
その上、リードインエリア１３のトラック構成をＡトラックおよびＢトラックの２重螺旋とすることにより、データを連続的に読み込むことができる。
さらに、ＲＡＭエリア１４のトラック構成もＡトラックおよびＢトラックの２重螺旋とすることにより、エリア間のつなぎ目のトラック構成が連続的となりエリア間のスムースな移動が可能となる。
上記４例の実施の形態ではサーボエリア４をディスク１上の全エリアで共通としたが、ＲＡＭエリア１０，１４とリードインエリア１１〜１３で異なった構成とすることも可能であり、本発明はこのような構成に限定されない。例えば、ＲＡＭエリア１０では溝を用いたトラッキング誤差検出を行い、リードインエリア１３ではピットによるトラッキング誤差検出を行うこともできる。
また、上記４例の実施の形態では、リードインエリア１１〜１３がＲＡＭエリア１０，１４よりも内側に形成されているが、リードインエリア１１〜１３を最外周に形成したり、ＲＡＭエリア１０，１４の中間位置に形成することも可能であり、本発明はこのような構成に限定されない。
産業上の利用可能性
以上のように、本発明によれば、ディスク上のＲＡＭエリアの記録密度が向上した場合でもリードインエリアとＲＡＭエリアのトラックピッチを共通とすることでトラッキング制御を共通とし、さらにリードインエリア再生時のクロストークを大幅に軽減する光ディスクを提供することができる。
【図面の簡単な説明】
図１（ａ）は、本発明の第１の実施形態に係る光ディスクの構成を示す斜視図、図１（ｂ）は、第１の実施形態に係る光ディスクのトラック構成を示す説明図である。
図２は、本発明の第１の実施形態に係る光ディスクのサーボエリアの構成を示す説明図である。
図３は、本発明の第１の実施形態に係るディスクのサーボエリアの反射光から得られる信号の波形図である。
図４（ａ）は、本発明の第２の実施形態に係る光ディスクの構成を示す斜視図、図４（ｂ）は、第２の実施形態に係る光ディスクのトラック構成を示す説明図である。
図５（ａ）は、本発明の第３の実施形態に係る光ディスクの構成を示す斜視図、図５（ｂ）は、第３の実施形態に係る光ディスクのトラック構成を示す説明図である。
図６（ａ）は、本発明の第４の実施形態に係る光ディスクの構成を示す斜視図、図６（ｂ）は、第４の実施形態に係る光ディスクのトラック構成を示す説明図である。
【図１Ａ】
2002027717.tif 000003
【図１Ｂ】
2002027717.tif 000004
【図２】
2002027717.tif 000005
【図３】
2002027717.tif 000006
【図４Ａ】
2002027717.tif 000007
【図４Ｂ】
2002027717.tif 000008
【図５Ａ】
2002027717.tif 000009
【図５Ｂ】
2002027717.tif 000010
【図６Ａ】
2002027717.tif 000011
【図６Ｂ】
2002027717.tif 000012
【国際調査報告】
2002027717.tif 000013
2002027717.tif 000014
2002027717.tif 000015
2002027717.tif 000016